(57)【要約】【課題】電波受信中も電波状況の表示が行える電波受信装置、電波腕時計、電波受信機器及び電波受信制御方法を提供すること。【解決手段】受信信号の受信直前に、電波受信中を意味する情報を表示させる駆動信号をメモリ性表示部５に印加し、該情報をメモリ性表示部に表示し（Ｓ４）、該情報をメモリ性表示機能により表示保持している間（Ｓ５）、駆動信号の印加を停止し（Ｓ６）、この状態の下で電波を受信開始させる（Ｓ７）。これによって、電波受信中には電波受信中を意味する情報を一時的にメモリ性表示させ、電波受信中か否かを確実に視認させる一方で、電波受信中を意味する情報をメモリ性表示機能により表示保持している間、メモリ性表示部５への駆動信号の印加を停止させ、該駆動信号に基づくノイズの発生を確実に抑制し、ノイズが電波受信の阻害となる事態を未然に防止し、良好な電波受信を図る。【選択図】図５
2011166349.tif 000002
【特許請求の範囲】
【請求項１】
アンテナで電波を受信する受信部、情報を表示する表示部、および、この表示部に対して駆動信号を印加して該表示部に情報を表示させる表示制御部を備える電波受信装置において、
前記表示部は全部又は一部がメモリ性表示部によって構成され、
前記表示制御部は、
前記受信部が受信信号を受信する直前に、電波受信中を意味する情報を表示させる駆動信号を前記メモリ性表示部に印加し、当該メモリ性表示部に前記情報を表示させ、そのメモリ機能により前記情報を表示保持している状態のもとで、前記駆動信号の印加が停止されたことを条件に、電波の受信を開始させる印加制御部を備えていることを特徴とする電波受信装置。
【請求項２】
前記表示制御部は、
前記印加制御部の制御により電波の受信が終了されたことを条件に、前記メモリ性表示部に表示されている前記情報を消去させる情報消去制御部を更に備えていることを特徴とする請求項１に記載の電波受信装置。
【請求項３】
請求項１または請求項２に記載の電波受信装置と、
この電波受信装置が設けられた腕時計ケースと、
を備えていることを特徴とする電波腕時計。
【請求項４】
請求項１または請求項２に記載の電波受信装置と、
この電波受信装置が設けられた機器ケースと、
を備えていることを特徴とする電波受信機器。
【請求項５】
アンテナで電波を受信する受信部、情報を表示するメモリ性表示部、および、このメモリ性表示部に対して駆動信号を印加して該メモリ性表示部に情報を表示させる表示制御部を備える電波受信装置に用いられる電波受信制御方法において、
前記受信部が受信信号を受信する直前に、電波受信中を意味する情報を表示させる駆動信号を前記メモリ性表示部に印加させ、該メモリ性表示部に前記情報を表示させる情報表示ステップと、
この情報表示ステップにより、前記メモリ性表示部のメモリ機能により前記情報を表示保持している状態のもとで、前記駆動信号の印加が停止されたことを条件に、電波の受信を開始させる受信開始ステップと、
を備えていることを特徴とする電波受信制御方法。
【請求項６】
前記受信開始ステップにより電波の受信が開始されたあと、当該電波の受信が終了されたことを条件に、前記メモリ性表示部に表示されている前記情報を消去させる情報消去ステップを更に備えていることを特徴とする請求項５に記載の電波受信制御方法。
【発明の詳細な説明】
【技術分野】
【０００１】
本発明は、電波受信装置、電波腕時計、電波受信機器及び電波受信制御方法に関する。
【背景技術】
【０００２】
近年、標準電波を受信し、計時回路の日時データを修正する電波腕時計が実用化されている。
ところで、電波腕時計が実際に受信する標準電波には種々のノイズが混入されることが知られている。例えば、送信所から電波腕時計までの伝送過程において生じる外部のノイズだけでなく、電波腕時計内部の回路が発生する信号によるノイズが混入される場合がある。具体的には、表示ドライバのような表示制御信号生成部が出力するコモン信号やセグメント信号、表示部のバックライトのＯＮ／ＯＦＦによる電気信号等により表示装置及び表示装置周辺からノイズが発生する場合がある。このため、電波腕時計内部で発生するノイズの混入を低減させる様々な方法が考えられている。
このうちの１つに、標準電波を受信している間は、ノイズ発生源となるクロノ機能の動作を禁止し、クロノ機能が動作をしている間は、標準電波の受信を禁止する制御を行う電波修正機能付き時計がある（例えば、特許文献１）。
【先行技術文献】
【特許文献】
【０００３】
【特許文献１】特開平８−２０１５４６号
【発明の概要】
【発明が解決しようとする課題】
【０００４】
上記特許文献１の電波修正機能付き時計では、ノイズ発生源となるクロノ機能の動作を行っている限り電波受信ができないので、ノイズが混入する危険性は減少する。この場合には、クロノ機能の動作が終了した後に電波受信機能を実行したとしても問題は少ない。
しかし一方で、電波受信中に同時になされてきた電波状況表示機能の実行をも、電波受信中であることを理由に禁止するとすれば次のような問題が生じる。
すなわち、電波状況表示機能の実行を禁止するとすれば、受信中は、表示部に何も表示されないために、電波受信中なのか電池切れなのかをユーザが視認できないという問題がある。
本発明は、かかる問題点に鑑みなされたもので、電波受信中も電波状況の表示が行える電波受信装置、電波腕時計、電波受信機器及び電波受信制御方法を提供することを目的とする。
【課題を解決するための手段】
【０００５】
請求項１の発明は、
アンテナで電波を受信する受信部、情報を表示する表示部、および、この表示部に対して駆動信号を印加して該表示部に情報を表示させる表示制御部を備える電波受信装置において、
前記表示部は全部又は一部がメモリ性表示部によって構成され、
前記表示制御部は、
前記受信部が受信信号を受信する直前に、電波受信中を意味する情報を表示させる駆動信号を前記メモリ性表示部に印加し、当該メモリ性表示部に前記情報を表示させ、そのメモリ機能により前記情報を表示保持している状態のもとで、前記駆動信号の印加が停止されたことを条件に、電波の受信を開始させる印加制御部を備えていることを特徴とする電波受信装置である。
【０００６】
請求項２の発明は、請求項１に記載の電波受信装置において、前記表示制御部は、前記印加制御部の制御により電波の受信が終了されたことを条件に、前記メモリ性表示部に表示されている前記情報を消去させる情報消去制御部を更に備えていることを特徴とする。
【０００７】
請求項３の発明は、請求項１または請求項２に記載の電波受信装置と、この電波受信装置が設けられた腕時計ケースと、を備えていることを特徴とする電波腕時計である。
【０００８】
請求項４の発明は、請求項１または請求項２に記載の電波受信装置と、この電波受信装置が設けられた機器ケースと、を備えていることを特徴とする電波受信機器である。
【０００９】
請求項５の発明は、
アンテナで電波を受信する受信部、情報を表示するメモリ性表示部、および、このメモリ性表示部に対して駆動信号を印加して該メモリ性表示部に情報を表示させる表示制御部を備える電波受信装置に用いられる電波受信制御方法において、前記受信部が受信信号を受信する直前に、電波受信中を意味する情報を表示させる駆動信号を前記メモリ性表示部に印加させ、該メモリ性表示部に前記情報を表示させる情報表示ステップと、
この情報表示ステップにより、前記メモリ性表示部のメモリ機能により前記情報を表示保持している状態のもとで、前記駆動信号の印加が停止されたことを条件に、電波の受信を開始させる受信開始ステップと、
を備えていることを特徴とする電波受信制御方法である。
【００１０】
請求項６の発明は、請求項５に記載の電波受信制御方法において、前記受信開始ステップにより電波の受信が開始されたあと、当該電波の受信が終了されたことを条件に、前記メモリ性表示部に表示されている前記情報を消去させる情報消去ステップを更に備えていることを特徴とする。
【発明の効果】
【００１１】
本発明によれば、電波受信中には電波受信中を意味する情報が一時的にメモリ性表示されるので、電波受信中か否かを確実に視認することができる。そればかりでなく、電波受信中を意味する情報をメモリ性表示機能により表示保持している間、メモリ性表示部への駆動信号の印加が停止されるので、該駆動信号に基づくノイズの発生を確実に抑制することができ、ノイズが電波受信の阻害となる事態を未然に防止し、良好な電波受信を図ることができる。
【図面の簡単な説明】
【００１２】
【図１】本発明の電波受信装置の実施形態である電波腕時計の正面図である。
【図２】図１の電波腕時計を側方から見た場合の概念図である。
【図３】図１の電波腕時計のメモリ性液晶パネルの断面を示す概念図である。
【図４】図１の電波腕時計の概略ブロック構成図である。
【図５】図１の電波腕時計の制御手順を示すフローチャートである。
【図６】（Ａ），（Ｂ），（Ｃ）は図１の電波腕時計の表示態様を示す図である。
【図７】メモリ性表示部の他例である電気泳動パネルの断面を示す概念図である。
【発明を実施するための形態】
【００１３】
以下、本発明の実施の形態を図面に基づいて説明する。
【００１４】
図１は、実施形態の電波受信装置の一例である電波腕時計の正面図である。
この電波腕時計１は腕時計ケース２を備えている。この腕時計ケース２の上部には、図２の概念図に示すように、時計ガラス３が装着され、一方、腕時計ケース２の下部には、裏蓋４が防水リング（図示せず）を介して取り付けられている。
この腕時計ケース２の内部には、メモリ性液晶表示パネル５が設けられている。このメモリ性表示パネル５としてはセグメント型の液晶表示パネルやドットマトリクス型の液晶表示パネルを用いることができる。なお、バックライトについては受信時のノイズの原因となるので、液晶表示パネルは反射型のものとすることが好ましい。
また、腕時計ケース２の３時側及び９時側の両側面には、図１に示すように、複数の押釦スイッチ６が設けられている。
【００１５】
まず、図３に基づいて、メモリ性液晶表示パネル５の詳細について説明する。
メモリ性液晶表示パネル５は、図３に示すように、第１の透明ガラス基板５１と第２の透明ガラス基板５２とを備えている。    
第１の透明ガラス基板５１上には走査電極５３が設けられ、第２の透明ガラス基板５２上には信号電極５４が設けられている。
また、走査電極５３上にはラビング処理された高分子配向膜５５ａが塗布され、信号電極１３ｂ上にはラビング処理された高分子配向膜５５ｂが塗布されている。
そして、シール部材５６、第１及び第２の透明ガラス基板５１及び５２の間に挟持されるように強誘電性液晶５７が封入されている。また、第１の透明ガラス基板５１の外側には第１の偏光板５８ａが設けられ、第２の透明ガラス基板５２の外側には第２の偏光板５８ｂが設けられている。
このメモリ性液晶表示パネル５はメモリ性表示部を構成している。このメモリ性液晶表示パネル６における強誘電性液晶５７は、強誘電性液晶５７に印加される電圧を増加させ、光透過率の増加が飽和する電圧値以上とすれば強誘電性状態に転移し、その後電圧を印加せずとも（すなわち０Ｖ印加）、強誘電性状態を保持する。或いは、このメモリ性液晶表示パネル６における強誘電性液晶５７は、強誘電性液晶５７に印加される電圧を減少させ、光透過率がの減少が飽和する電圧値以下とすれば強誘電性状態に転移し、その後電圧を印加せずとも（すなわち０Ｖ印加）、強誘電性状態を保持する。
このメモリ性液晶表示パネル５は２つの表示領域５ａ，５ｂを有していて、表示領域５ａは通常表示では時刻を表示し、また、表示領域５ｂは通常表示では日付、曜日、温度及び湿度を表示する。また、このメモリ性液晶表示パネル５は、電波受信中は「受信中」のメモリ表示を行う。
【００１６】
図４に、電波腕時計１の概略ブロック構成図が示されている。電波腕時計１は、メモリ性表示モジュール部２１、電波受信部２２、時刻計時部２３、制御部２４を備えている。メモリ性表示モジュール部２１はメモリ性液晶表示パネル５と駆動回路部２１２とを備える。また、電波受信部２２は受信用アンテナ２２１と受信回路２２２とを備える。制御部２４は、内蔵のＲＡＭ又はＲＯＭ（図示せず）に予め記憶されたプログラムに従い電波受信部から標準電波を受信する。また、制御部２４は、上記ＲＡＭ又はＲＯＭに予め記憶されたプログラムに従い表示データを生成し、駆動回路部２１２に制御信号を出力する。したがって、制御部２４及び駆動回路部２１２は表示制御部を構成している。
【００１７】
この電波腕時計１においては、通常の状態では、制御部２４は、駆動回路部２１２からメモリ性液晶表示パネル５に通常表示を行わせるための駆動信号を与え、メモリ性液晶表示パネル６の表示領域５ａに時刻を、表示領域５ｂに日付、曜日、温度及び湿度を表示する表示させる。
また、この電波腕時計１においては、電波受信モード時には、制御部２４は、駆動回路部２１２からメモリ性液晶表示パネル５にメモリ性表示のための駆動信号を与え、その後に駆動信号の印加を停止させて表示領域５ｂに「受信中」の文字をメモリ表示させる。
【００１８】
この制御部２４によってなされる動作フローの詳細を図５に基づいて説明する。
制御部４は、電波の受信モードか否かを判別し（ステップＳ１）、電波受信モードでない場合（ステップＳ１でＮＯ）、駆動回路部２１２から通常の時刻表示を行わせるための駆動信号（駆動波形）をメモリ性液晶表示部５に印加させて、メモリ性液晶表示部５に通常の時刻表示を行わせる（ステップＳ２）。
図６（Ａ）にはその一例が示され、表示領域５ａには時刻が表示され、表示領域５ｂには日付、曜日、温度及び湿度が表示される。
また、制御部４は、手動及び自動で電波の受信モードとなった場合（ステップＳ１でＹＥＳ）、駆動回路部２１２を制御して通常表示を消去させ（ステップＳ３）、駆動回路部２１２から受信中であることを示す駆動信号をメモリ性液晶表示部５に印加させて、メモリ性液晶表示部１１に電波受信中であることを示す「受信中」の情報の表示を行わせ、当該情報を、メモリ性液晶表示部１１の有するメモリ表示機能により表示保持させる（ステップＳ５）。この保持状態の間、駆動回路部２１２からメモリ性液晶表示部５への駆動信号の印加を停止させ（ステップＳ６）、この停止を条件に、電波の受信を開始させる（ステップＳ７）。このときのメモリ性液晶表示パネル５の表示状態が図６（Ｂ）に示されている。
そして、電波の受信が終了したならば（ステップＳ８）、メモリ性表示部１１のメモリ表示である「受信中」の情報を消去させる（ステップＳ９）。その一方で、駆動回路部２１２から通常の時刻表示を行わせるための駆動信号（駆動波形）をメモリ性液晶表示部５に印加させて、メモリ性液晶表示部５に通常の時刻表示を行わせる。このときのメモリ性液晶表示パネル５の表示状態が図６（Ｃ）に示されている。
したがって、メモリ性液晶表示部５への駆動信号の印加停止期間は、この実施の形態の場合、図６（Ａ）に示す午後１０時５８分５０秒の直後の図６（Ｂ）で示される「受信中」の情報の表示状態から、図６（Ｃ）に示されている午後１１時０２分００秒までの数分間であり、この印加停止期間、すなわち、電波受信中を意味する情報をメモリ性表示機能により表示保持している間、メモリ性表示部５への駆動信号の印加が停止されるので、該駆動信号に基づくノイズの発生を確実に抑制し、ノイズが電波受信の阻害となる事態を未然に防止し、よって、良好な電波受信を図ることができる。
【００１９】
図７にはメモリ性表示部の他例が示されている。このメモリ性表示部は電気泳動パネル３０によって構成されている。
この電気泳動パネル３０は、マイクロカプセル３１をプラスチック基板３２にコーティングした前面板をＴＦＴガラス基板（背面板）３３と貼り合わせた構造を有している。この電気泳動パネル３０においては、前面板の透明電極３４とＴＦＴ３５の間の電圧（電位差）によって、マイクロカプセル３１内に封入した粒子の位置を制御するものである。この電気泳動パネル３０によれば、電圧の加減によって粒子を動かし色合いを変えて表示し、電圧の印加を止めるとそのままの状態を保持することができる。
【００２０】
このように構成された電波腕時計１によれば、次のような効果を得ることができる。
すなわち、電波受信中には電波受信中を意味する情報が一時的にメモリ性表示されるので、電波受信中か否かを確実に視認することができる。
そればかりでなく、電波受信中を意味する情報をメモリ性表示機能により表示保持している間、メモリ性表示部への駆動信号の印加が停止されるので、該駆動信号に基づくノイズの発生を確実に抑制し、ノイズが電波受信の阻害となる事態を未然に防止し、良好な電波受信を図ることができる。
【００２１】
以上、本発明の実施形態について説明したが、本発明は、上記実施形態に限定されるものではなく、種々の変形が可能である。
【００２２】
例えば、上記実施形態では、全体をメモリ性表示部としたが、一部だけをメモリ性表示部とすることもできる。
また、上記実施形態では、この発明を電波腕時計に適用した場合について説明しているが、電波置時計、ＧＰＳ受信機、携帯電話など、機器ケースを備えている電波受信機器にも適用可能である。
【符号の説明】
【００２３】
１  電波腕時計
５  メモリ性液晶表示パネル
２１  メモリ性表示モジュール部
２１２  駆動回路部
２２  電波受信部
２２１  アンテナ
２２２  受信回路
２４  制御部
【図１】
2011166349.tif 000003
【図２】
2011166349.tif 000004
【図３】
2011166349.tif 000005
【図４】
2011166349.tif 000006
【図５】
2011166349.tif 000007
【図６】
2011166349.tif 000008
【図７】
2011166349.tif 000009